(57)【特許請求の範囲】
【請求項１】
紙管に帯状のトイレットペーパーが巻かれたトイレットロールを製造する方法であって、
ポリフェノール系消臭剤を３８〜６２％、低級アルコールを１１〜３３％、水性溶媒を５〜５１％の体積比で混合した消臭剤薬液を、
紙厚１００〜４００μｍ、米坪１３０〜２００ｇ／ｍ2の紙管原紙に対してフレキソ印刷又はグラビア印刷により６〜２４ｇ／ｍ2で塗工した後、
その消臭剤薬液を含浸させた紙管原紙を用いて、前記塗工面側が紙管内面となるようにしてトイレットロールを製造する、ことを特徴とするトイレットロールの製造方法。
【請求項２】
前記ポリフェノール系消臭剤が、タンニン、カテキン、ルチン、アントシアニン、エラグ酸、クマリン、フラボン、それらの誘導体及び前駆体の群から選ばれる一種を含む、請求項１記載のトイレットロールの製造方法。
【請求項３】
低級アルコールは、エタノール、メタノール、ブタノール、プロパノールのいずれか１種を含む請求項１又は２記載のトイレットロールの製造方法。
【発明の詳細な説明】
【技術分野】
【０００１】
本発明は、帯状のトイレットペーパーを紙管に巻いたトイレットロールの製造方法に関する。
【背景技術】
【０００２】
トイレ空間で発生する臭いを緩和したり消したりするために、下記特許文献１のようにトイレ空間に常備されるトイレットロールの紙管内面に消臭剤等をコーティングして担持させる技術が知られる。
【０００３】
しかし、この従来技術による紙管内面に消臭剤をバインダーや接着剤などのコーティング剤によって担持させた消臭機能付きのトイレットロールは、消臭剤の担持量が少なく、また、バインダーとなる接着剤成分により消臭剤が少なからず覆われてマスキングされるため消臭機能が低い。
【０００４】
また、トイレットロールは、多くの場合トイレットロールの紙管内に支持部を緩く挿入してトイレットロールを回動可能に支持するトイレットロールホルダーにセットして使用される。トイレットロールホルダーにセットしたトイレットロールからトイレットペーパーを引き出す際には、トイレットロールホルダーの支持部と紙管内表面が摺れることになるため、上記の従来技術による紙管内面に消臭剤をバインダーや接着剤などのコーティング剤によって消臭剤を担持させた消臭機能付きのトイレットロールでは、トイレットペーパー引き出し時に紙管内表面のコーティングが離脱してしまうおそれがある。特に、トイレットロールの紙管内表面への消臭剤の担持量を増加させるべく、バインダー中に消臭剤を分散させたものを厚く塗工するようにすると、この問題が顕著となる。
【０００５】
他方、特許文献１に記載される紙管内表面以外の例えば紙管の外周面側に消臭剤を付与すれば、トイレットロールホルダー使用時における消臭剤の離脱の問題は解決されるが、紙管外面側に消臭剤を付与してもトイレットロールは、紙管外周面側に帯状のトイレットペーパーが幾重にも巻かれた構造であるため、紙管外周面に消臭剤を付与しても消臭剤と外気との接触が十分ではなく消臭機能を高めることは難しく、消臭機能を高める根本的な解決策とはならない。
【０００６】
このように従来技術に係るトイレットロールでは、消臭機能が低い等の問題があり、広く普及するに至っていない。
【先行技術文献】
【特許文献】
【０００７】
【特許文献１】実開昭５６−１１１８９０
【特許文献２】特許５０３２３９８号
【特許文献３】特開２０１３−７０８１５号公報
【特許文献４】特開２００７−２３７６７２号公報
【特許文献５】特開２００１−７１６２７号公報
【特許文献６】特開２０１２−４５７９１号公報
【発明の概要】
【発明が解決しようとする課題】
【０００８】
そこで、本発明の主たる課題は、消臭効果が高く、ホルダーにセットして使用しても消臭剤の離脱がないトイレットロールを生産効率よく製造できる製造方法を提供することにある。
【課題を解決するための手段】
【０００９】
上記課題を解決した本発明とその参考発明、さらにその効果は次記のとおりである。
＜請求項１記載の発明＞
紙管に帯状のトイレットペーパーが巻かれたトイレットロールを製造する方法であって、
ポリフェノール系消臭剤を３８〜６２％、低級アルコールを１１〜３３％、水性溶媒を５〜５１％の体積比で混合した消臭剤薬液を、
紙厚１００〜４００μｍ、米坪１３０〜２００ｇ／ｍ2の紙管原紙に対してフレキソ印刷又はグラビア印刷により６〜２４ｇ／ｍ2で塗工した後、
その消臭剤薬液を含浸させた紙管原紙を用いて、前記塗工面側が紙管内面となるようにしてトイレットロールを製造する、ことを特徴とするトイレットロールの製造方法。
【００１０】
＜請求項２記載の発明＞
前記ポリフェノール系消臭剤が、タンニン、カテキン、ルチン、アントシアニン、エラグ酸、クマリン、フラボン、それらの誘導体及び前駆体の群から選ばれる一種を含む、請求項１記載のトイレットロールの製造方法。
【００１１】
＜請求項３記載の発明＞
低級アルコールは、エタノール、メタノール、ブタノール、プロパノールのいずれか１種を含む請求項１又は２記載のトイレットロールの製造方法。
【００１２】
＜参考発明１＞
紙管に帯状のトイレットペーパーが巻かれたトイレットロールであって、
紙厚１００〜１２００μｍ、米坪１３０〜６１８ｇ／ｍ2の紙管を有し、その紙管の紙層中に、ポリフェノール、ポリフェノール誘導体及びポリフェノール類似体の少なくとも一つが含まれ、その含有量が０．００２〜６．０ｇ／ｍ2である、ことを特徴とするトイレットロール。
【００１３】
＜参考発明２＞
ポリフェノール、ポリフェノール誘導体及びポリフェノール類似体の何れか一つは、タンニン、カテキン、ルチン、アントシアニン、エラグ酸、クマリン、フラボン、これらの誘導体及び前駆体の群から選ばれるものである上記参考発明１のトイレットロール。
【００１４】
＜参考発明３＞
紙管の内面側から外周面側に向かって厚み方向に、ポリフェノール、ポリフェノール誘導体及びポリフェノール類似体の少なくとも一つが含浸されて保持されている、上記参考発明１又は２のトイレットロール。
【００１５】
（作用効果）
本発明に係るトイレットロールの製造方法では、ポリフェノール系消臭剤を３８〜６２％、低級アルコールを１１〜３３％、水性溶媒を４〜５１％の体積比で混合した消臭剤薬液を、紙厚１００〜４００μｍ、米坪１３０〜２００ｇ／ｍ2の紙管原紙に対してフレキソ印刷又はグラビア印刷により６〜２４ｇ／ｍ2で塗工し、前記紙管原紙に前記ポリフェノール系消臭剤の有効成分を含浸させるようにする。
【００１６】
ポリフェノール系消臭剤は有効成分であるポリフェノール、ポリフェノール誘導体及びポリフェノール類似体（以下、ポリフェノール等ともいう）に起因して、紙管原紙とのなじみが良好ではなく、そのままでは塗工し難しい。そこで、本発明にしたがって、ポリフェノール系消臭剤に低級アルコールと水性溶媒とを上記の体積割合で混合した消臭剤薬液とすると、紙管原紙中に含まれる植物由来のパルプ繊維や填料等とポリフェノール系消臭剤のなじみが改善され、特に紙厚１００〜４００μｍ、米坪１３０〜２００ｇ／ｍ2の紙管原紙に対しては、その紙管原紙の適度な密度と相まって消臭剤薬液が紙管原紙内に効果的に浸透するようになる。そして、特に、上記低級アルコールの配合割合とすることにより、紙管原紙に対して消臭剤薬液を付与した後に、当該低級アルコールが素早く揮発し、ポリフェノール系消臭剤中の有効成分が含浸された紙管原紙が効率よく製造される。
【００１７】
すなわち、本発明では、上記配合の消臭剤薬液とすることで、前記構成の紙管原紙に対する含浸速度が速く、その一方、低級アルコールの比率が一定以上でありその揮発性（乾燥速度）も確保され、消臭剤薬液の含浸と低級アルコールの揮発による乾燥が迅速に行なわれ、ポリフェノール系消臭剤中の有効成分が含浸された紙管を操業効率よく製造でき、もってトイレットロールが効率よく製造できるのである。
【００１８】
また、ポリフェノール系消臭剤を紙管原紙に対して、消臭効果を十分に発揮させるべく、単に消臭剤付与量を増やそうとしても含浸性が低い場合には、バーコーター等の低速コーターを用いなければならない。しかし、本発明では、上記消臭剤薬液とすることで含浸性、乾燥性が良好であるため、高速なグラビア印刷やフレキソ印刷でも十分に塗工操作を行なうことができ、その生産効率に非常に優れるようになる。
【００１９】
そして、本発明により製造されるトイレットロールでは、従来技術のように紙管の内表面に消臭剤を付着させられたものではなく、紙管を構成する紙管原紙にポリフェノール系消臭剤の有効成分が含浸された、紙管そのものにその有効成分であるポリフェノール等を保持されたものとなる。したがって、トイレットロールをトイレットホルダーにセットして使用した際に、トイレットロールの紙管内面とトイレットロールホルダーの支持部が摺れても、消臭剤が離脱することがない。
【００２０】
また、本発明の製造方法に係るトイレットロールでは、特に紙管の内面側から外周面側に向かって厚み方向にポリフェノール等の消臭剤成分が含浸されるので、紙管内表面からトイレ空間内に揮発する臭い成分との接触が十分に確保され、消臭機能が効果的に発揮される。
【００２１】
他方、本発明に係るトイレットロールは、消臭効果を奏するものがアンモニア成分などのトイレ空間内の臭いの原因物質と選択的に化学反応して消臭するポリフェノール等であるため、例えば、ゼオライト等の多孔性物質に種々の揮散成分を吸着する消臭剤を担持させたようなものと比較すると、消臭効率に非常に優れる。そのうえ、香料などの悪臭成分以外の成分と反応しないようにすることが可能となり、例えば、異臭成分をマスキングする香料との併用性にも優れる。
【００２２】
また、本発明に係るトイレットロールの製造方法では、紙管を紙厚１００〜４００μｍ、米坪１３０〜２００ｇ／ｍ2の紙管原紙を用いることとした。これらの紙厚、米坪の紙管原紙では、適度な密度となり、十分な量のポリフェノール系消臭剤を含浸してその有効成分を保持することができるとともに、紙層内に浸透させたポリフェノール等に対して、紙管内表面を介して異臭成分と効果的に接触させることができ、優れた消臭機能を発揮できる。
【００２３】
特に、本発明に係るトイレットロールの製造方法におけるポリフェノール等としては、タンニン、カテキン、ルチン、アントシアニン、エラグ酸、クマリン、フラボン及びこれらの誘導体又は前駆体のいずれか一種を含むのが、製造効率及び消臭効果の点で望ましい。
【００２４】
また、本発明に係るトイレットロールの製造方法では、低級アルコールは、エタノール、メタノール、ブタノール、プロパノールのいずれか１種を含むのが望ましい。消臭剤薬液の含浸性及び乾燥性に特に優れる。
【発明の効果】
【００２５】
以上のとおり本発明によれば、消臭効果が高く、ホルダーにセットして使用しても消臭剤の離脱がないトイレットロールを生産効率よく製造できる製造方法が提供される。
【図面の簡単な説明】
【００２６】
【図１】本発明に係るトイレットロールを説明するための図である。
【図２】本発明に係る紙管の断面を模式的に示した図である。
【図３】本発明に係るトイレットロールの製造工程例の説明図である。
【図４】本発明に係る紙管の製造方法例を説明するための図である。
【図５】本発明に係る紙管原紙の構造例を示す断面図である。
【発明を実施するための形態】
【００２７】
本発明の実施形態を図面を参照しながら以下に説明する。
「トイレットロール」
本発明に係るトイレットロールは、図１に示すとおり、紙管１１に帯状のトイレットペーパーＳ３が巻かれたものである。その大きさ等は、限定はされないが、概ね、幅Ｌ１が１００〜１１５ｍｍ、直径Ｌ２が１００〜１２０ｍｍ、巻き長さ（トイレットペーパーの全長）が１８〜７０ｍ、紙管内径が３５〜５０ｍｍである。
【００２８】
本発明においてはトイレットペーパーＳ３は、特に限定されない。１プライ当り米坪１１．０〜２５．０ｇ／ｍ2  、紙厚１００〜１８０μｍ、１プライから４プライ程度の公知のものとすることができる。
【００２９】
なお、本発明及び本明細書における米坪とは、ＪＩＳ Ｐ ８１２４（１９９８）の米坪測定方法によるものであり、紙厚とは、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。なお、測定時に係る圧力は７０ｇｆ程度である。なお、紙管の厚みおよび米坪は、紙管の状態のまま測定することとする。紙管は円筒型であるが、上記紙管内径の範囲であればその湾曲による誤差は無視できる。
【００３０】
本発明に係るトイレットロール１０は、特徴的に、図２に示すように、前記紙管１１の紙層中に高い消臭効果を有するポリフェノール等の少なくとも１種が含まれている。したがって、紙管の内表面に消臭剤をバインダーによって付着させているものと異なり、トイレットロール１０をトイレットホルダーにセットして使用した際に、トイレットロール１０の紙管内面１１Ａとトイレットロールホルダーの支持部が摺れても、消臭剤が離脱することがない。なお、本発明にいう含浸とは紙層内にポリフェノール等が位置されていることをいい、湿潤状態で浸潤している状態を意味しているわけではない。
【００３１】
特に、本発明に係るトイレットロール１０における好適なポリフェノール等の含浸態様は、図２に示すように、紙管の内面側から外周面側に向かって厚み方向に、ポリフェノール等が含浸されて保持されている態様である。このような態様であれば、紙管内表面を介してトイレ空間内に漂う悪臭成分との接触が十分に確保され、ポリフェノール等による優れた消臭機能をより効果的に発揮させることができる。
【００３２】
本発明に係るポリフェノール等は、トイレ空間内における悪臭成分との化学反応により消臭効果を奏するものであり、トイレ空間内において極めて優れた消臭効果を奏する。このポリフェノール等は、植物及び植物の加工品から抽出されるなどしたものであり、フェノール性水酸基による反応性により、少なくともトイレ空間に存在する主たる悪臭成分の一つであるアンモニアに対する消臭機能を有するものである。もちろん、アンモニアに加えて、トイレ空間の悪臭成分として知られる、硫化水素、メチルメルカプタン、トリメチルアミンに対して反応性を有して消臭機能を有するものも存在し、本発明に係るポリフェノール等はそのようなものであってもよい。例えば、ポリフェノール誘導体の中には、特許３９１９７２９号のように人為的に分子量の高いポリフェノールに対して適宜の官能基を持たせて、特定の成分に対する消臭機能を付加或いは高めたものが知られているが、本発明に係るポリフェノール等は、そのようなものであってもよい。
【００３３】
本発明に係るポリフェノール等のより好ましい具体例としては、タンニン、カテキン、ルチン、アントシアニン、エラグ酸、クマリン、フラボン及びこれらの誘導体又は前駆体である。これらはトイレの悪臭成分に対して特に高い消臭効果を発揮する。なお、これらの物質は、紙管内に適宜複数含浸されていてもよい。
【００３４】
上記具体例のなかでも、特に好ましいものは、タンニン及びその誘導体である。タンニン及びタンニン誘導体は、分子量が大きくフェノール性水酸基を多く有するため消臭機能に優れる。なお、タンニンは、縮合型タンニン、加水分解型タンニンのいずれでもよい。また、タンニンのなかでも、柿由来の柿タンニンは、分子量が非常に大きく、消臭効果に極めて優れるため、本発明に係る消臭剤成分として、この柿タンニン及び柿タンニン誘導体の少なくとも一方を含むようにするのがよい。
【００３５】
本発明に係るポリフェノール等の含有量としては、紙管内周面の面積を基準として、０．００２〜６．０ｇ／ｍ2であるのが望ましい。より、好ましくは０．２〜２ｇ／ｍ2である。この含有量であれば、ポリフェノール等による消臭効果を十分に発揮させることができる。
【００３６】
他方、本発明に係るトイレットロールの紙管は、１〜３枚の紙管原紙をスパイラル巻きしたものであって、紙厚１００〜１２００μｍ、米坪１３０〜６１８ｇ／ｍ2であるのが望ましい。この紙厚及び米坪の範囲とすることで、適切な密度となり、トイレ空間を漂う悪臭成分とのポリフェノール等の接触が確保され、優れたポリフェノール等の消臭機能を効果的に発揮することができる。特に、２枚の紙管原紙をスパイラル巻きしたものであって、紙厚が２００〜８００μｍ、米坪１３０〜４１２ｇ／ｍ2であるのが望ましく、このような紙管であると製造が容易で特にポリフェノール等との接触性に優れる。
【００３７】
さらに、本発明に係るトイレットロールでは、紙管１１は、ＪＩＳ  Ｐ  ８１１９（１９９８）に記載の方法で測定したベック平滑度１０〜８０秒であるのが望ましい。ベック平滑度１０〜８０秒の紙管では、含浸された消臭剤が確実に保持され、また、含浸されたポリフェノール等のトイレ空間内に漂うアンモニア等の悪臭成分との接触が十分に確保される。
【００３８】
以上説明の本発明に係るトイレットロール１０は、下記のトイレットロールの製造方法により効率よく製造することができる。但し、本発明のトイレットロールの製造は、この製造方法に限定されるものではない。
【００３９】
「トイレットロールの製造方法」
本発明に係るトイレットロール１０の製造方法の実施形態を、特に図３〜図５を参照しながら説明する。但し、本発明のトイレットロール１０の製造方法は、この実施形態に必ずしも限定されるわけではない。
【００４０】
本実施形態のトイレットロール１０の製造方法は、長尺の紙管３０を製造する工程（Ａ）と、ログ製造工程（Ｂ）と、裁断工程（Ｃ）を含む。
【００４１】
〔長尺の紙管１１Ｌを製造する工程（Ａ）〕
本実施形態の紙管の製造工程は、図３中（Ａ）及び図４に示すように、原反ロール３１Ａ，３２Ａから繰出された二枚の帯状の紙管原紙３１，３２のうち一方の紙管原紙３１の一方面に糊付けロール５１により糊を付与し、前記一方の紙管原紙３１の糊付けされた面に他方の紙管原紙３２を幅方向に一部重ね、前記他方の紙管原紙３２の糊付け面と接しない面をマンドレルシャフト５２に対向する面、すなわち紙管内面となる面にして、各紙管原紙３１，３２をマンドレルシャフト５２に螺旋状に巻き付けて連続的に筒状部分２９を形成し、その筒状部分２９をトイレットロールの複数倍幅以上の幅でカッター５８によりカットして長尺のスパイラル紙管３０（スパイラル式紙管とも称される）を形成する。このスパイラル紙管は、一方の紙管原紙３１が紙管外面側、他方の紙管原紙３２が紙管内面側となる態様の二層積層構造となる。なお、本実施形態では、二枚の紙管原紙３１，３２をスパイラル巻きしているが、三枚以上の紙管原紙をスパイラル巻きして長尺の紙管を形成してもよい。
【００４２】
紙管原紙３１に対する糊の付与量は特に限定されないが、０．１〜５ｇ／ｍ2程度である。また、糊は、本発明の効果を妨げない範囲で既知の紙管用のものを用いることができ、アクリル系接着剤、ホットメルト接着剤、澱粉糊、ＰＶＡ（ポリビニルアルコール）等が例示できる。
【００４３】
図示の形態では、各紙管原紙３１，３２のマンドレルシャフト５２への巻き付けは、一対のプーリー５３，５３間に巻き掛けられた平ベルト５４により、マンドレルシャフト５２上の所定部分に位置する筒状部分２９に回転力を与え、その回転により紙管原紙３１，３２をマンドレルシャフト５２の軸心に対して所定角度で引き込んで、螺旋状に巻くようにしている。図示例では、一対のプーリー５３，５３を二機配置して二つの平ベルト５４，５４により、筒状部分２９に回転力を与えているが、一機の一対のプーリーと平ベルトにより筒状部分に回転力を与えるようにしてもよい。また、図示しないが、筒状部分２９に平ベルト５４ではなくロールを当接させて回転力を与えるようにしても、各紙管原紙３１，３２をマンドレルシャフト５２に巻き付けることができる。
【００４４】
紙管原紙３１，３２をマンドレルシャフト５２に巻き付けてスパイラル紙管の形成するにあたっては、図示例からも理解されるように、紙管原紙３１，３２が連続的にマンドレルシャフト５２に送り込まれることにより筒状部分２９が長くなり、その筒状部分２９が連続的に形成されてマンドレルシャフト５２の先端方向に伸びていく。そして、その過程では、筒状部分２９の内面がマンドレルシャフト５２の周面に摺接しながら、マンドレルシャフト５２の先端方向に向かって移動していくことになる。
【００４５】
本実施形態では、このようにマンドレルシャフトに紙管原紙を巻き付けていく前段において、マンドレルシャフト５２にスパイラル巻きした際に長尺紙管３０の内面側になる面を有する紙管原紙３２に対して塗工機６１によりポリフェノール系消臭剤を含む消臭剤薬液４１を付与する。図示の形態では、二枚の紙管原紙３１，３２のうち前記他方の紙管原紙３２がマンドレルシャフト５２にスパイラル巻きした際に長尺紙管３０の内面側になる面を有するようになっており、その紙管原紙３２に対して消臭剤を含む消臭剤薬液４１を付与している。但し、本実施形態は、この図示の形態に限らず、二枚の紙管原紙の双方に付与してもよいし、例えば、１枚又は３枚の紙管原紙を用いて、長尺紙管３０を形成する場合には、その筒状にした際に内面となる面を有する紙管原紙の少なくとも一つの当該面に消臭剤薬液を付与すればよい。
【００４６】
ここで、図示の形態では、原反ロール３１Ａからマンドレルシャフト５２に至る経路の途中に消臭剤薬液４１の塗工機６１を設けてマンドレルシャフト５２へ紙管原紙３１，３２を巻き付ける直前で消臭剤薬液４１を塗工している。本発明に係る消臭剤薬液４１は、乾燥性に優れるため早い操業速度としてもマンドレルシャフト５２の直前で消臭剤薬液４１を付与することができる。但し、本発明において、紙管原紙に対して消臭剤薬液を付与する位置としては、図示の位置に限定されるわけではない。本発明に係るトイレットロールの製造方法においては、後述の紙管原紙の構成及び消臭剤薬液の構成により、図５に示すように消臭剤薬液４１が紙管原紙３２の紙層中に含浸させられるため、接着剤で消臭剤を担持させる場合と異なり、紙管原紙に消臭剤を付与した後にこれを輸送などしても、消臭剤が紙管原紙から離脱することがないので、マンドレルシャフト５２への巻き付けの直前で消臭剤薬液を塗工しなければならないということがない。したがって、例えば、抄紙機で紙管原紙を抄紙して原反ロールとして巻き取るまでの間に消臭剤薬液の塗工を行なってもよいし、抄紙機で巻き取った原反ロールから紙管原紙を繰出して塗工機で消臭剤薬液を付与したのち再度巻き取って原反ロールに再加工するようにしてもよい。紙管原紙に対する加工が、マンドレルシャフトへ巻き付けて紙管を形成する工程と別工程で行えることは、本発明の製造方法の一つの利点である。
【００４７】
一方、本実施形態に係る消臭剤薬液４１は、ポリフェノール系消臭剤を３８〜６２％、メタノール、エタノール、ブタノール、プロパノールの群から選ばれる少なくとも一つの低級アルコールを１１〜３３％、水などの水性溶媒を５〜５１％の体積比で混合したものである。この体積比とすることで、消臭剤薬液を紙管原紙に対して素早く含浸させることができるとともに、速乾性に優れるようになり、ポリフェノール系消臭剤を紙管原紙に対して素早く含浸させることができる。
【００４８】
本実施形態に係るポリフェノール系消臭剤は、消臭効果を奏する有効成分として、ポリフェノール等の少なくとも一種を０．１〜４０質量％、好ましくは０．５〜２０質量％、特に好ましくは、１〜１０質量％含むものであり、その他の成分として、水等の溶媒や保存剤、ｐＨ調製剤等の助剤を含みうる。また、安定性、ポリフェノール等への官能基の付与、自身の反応性による消臭効果のさらなる向上の観点等のため有機酸、有機酸塩が配合されていてもよい。有機酸、有機酸塩は、トイレットロールを構成するトイレットペーパーが、人体に直接触れるものであることを考慮して、人体に対する安全性の高いものであるのが望ましく、例えば、乳酸、酒石酸、リンゴ酸、フマル酸、コハク酸、クエン酸、グルタル酸、アミノ酸、アジピン酸、アスコルビン酸、又はこれらの無機塩もしくは有機塩が例示できる。塩を形成する無機塩基としては、ナトリウム、カリウム、リチウム、カルシウム、マグネシウムのようなアルカリ金属又はアルカリ土類金属の水酸化物、酸化物、炭酸塩、炭酸水素塩等が例示できる。また、有機塩基としては、窒素含有塩基、例えば一級、二級又は三級アミン、イミノ基、グアニジノ基、イミダゾリノ基、イミダゾリル基、ピリジル基等の基を有する化合物が例示できる。
【００４９】
本実施形態におけるポリフェノール等については、上記「トイレットペーパー」の欄でも述べたが、植物及び植物の加工品から抽出されるものであり、フェノール性水酸基による反応性により、少なくともトイレ空間に存在する主たる悪臭成分の一つであるアンモニアに対する消臭機能を有する。もちろん、製造方法に係る本実施形態においても、アンモニアに加えて、トイレ空間の悪臭成分として知られる、硫化水素、メチルメルカプタン、トリメチルアミンに対して反応性を有して消臭機能を有するものを用いることができる。例えば、ポリフェノール誘導体の中には、特許３９１９７２９号に示されるものである。
【００５０】
本発明に係るポリフェノール等のより好ましい具体例としては、タンニン、カテキン、ルチン、アントシアニン、エラグ酸、クマリン、フラボン及びこれらの誘導体又は前駆体である。これらはトイレの悪臭成分に対して特に高い消臭効果を発揮する。
【００５１】
上記具体例のなかでも、特に好ましいものは、タンニン及びその誘導体である。タンニン及びタンニン誘導体は、分子量が大きくフェノール性水酸基を多く有するため消臭機能に優れるが、紙管原紙への浸透がし難いものであり、本発明による効果が顕著となるものである。なお、タンニンは、縮合型タンニン、加水分解型タンニンのいずれでよい。また、タンニンのなかでも、柿由来の柿タンニンは、分子量が非常に大きく、消臭効果に極めて優れるため、本発明に係るポリフェノール系消臭剤は、この柿タンニン及び柿タンニン誘導体の少なくとも一方を含むようにするのがよい。
【００５２】
また、ポリフェノール系消臭剤は、市販されているものを用いることができる。例えば、リリース科学工業株式会社製のPancil COS-15、Pancil COS-17、Pancil CL-10、Pancil AS-10、Pancil AS-20、Pancil  BA-210-1、Pancil COS-5、Pancil FG-22、Pancil FG-25、Pancil FG-30、Pancil FG-60、Pancil FG-70、Pancil FG-99、Pancil FX10、Pancil PO -10、Pancil BA-200E-1を適宜用いることができる。
【００５３】
ここで、本実施形態では、特に消臭剤薬液中に、低級アルコールを体積比で１１〜３３％で混合することが重要である。上記ポリフェノール系消臭剤のみ、さらにこれに水に代表される水性溶媒を配合しただけでは、紙管原紙３２に消臭剤等が殆ど浸透しない。したがって、塗工しても紙管原紙上で所謂弾いた状態となる。低級アルコールを配合することで、紙管原紙３２に対する浸透性が発現し、上記消臭剤を塗工ムラ無く紙管原紙中に含浸させることができるようになる。特に、本実施形態に係る配合割合であると、紙管原紙への浸透性及び乾燥性に極めて優れるようになり、ポリフェノール系消臭剤を十分な量、紙管原紙中に含浸させることが可能となる。なお、消臭剤薬液中における低級アルコールの配合割合が１１％未満では、浸透性が十分に発現せず、紙管原紙へ浸透時間が極めて長時間となったり、弾きによる塗工ムラが発生するなど実用的ではない。また、反対に３３％を超えると、浸透性が過度に高まり、却って塗工ムラが生じたり、消臭剤薬液の塗工量が過度に増加してコスト高となる。また、蒸発性が高くなりすぎて塗工機において取り扱いし難くなる。低級アルコールを配合することにより、消臭剤薬液の表面張力が低下し、よってパルプ繊維間に薬液が良く浸透するようになる。
【００５４】
本実施形態に係る低級アルコールのなかでも、特にイソプロピルアルコールは表面張力を低下させる程度が大きく、紙管原紙に対する消臭剤薬液の浸透性向上効果に優れる。従って、低級アルコールは、イソプロピルアルコールを含むもの、好ましくはイソプロピルアルコールを９５質量％以上含むもの、特に好ましくはイソプロピルアルコール１００質量％であるものを用いるのがよい。
【００５５】
他方、ポリフェノール系消臭剤の配合割合については、本実施形態では３８〜６２％の範囲である。この範囲は、非常に高い配合割合であり、これまでこのようなポリフェノール系消臭剤の高配合では紙管原紙への迅速な塗工が困難であったが、本発明では上記低級アルコールとの併用により、係る高配合の範囲を達成できる。そして、このような消臭薬液を用いることで、トイレットロールとして使用した際に、トイレ空間内の消臭効果において極めて優れたものとなる。なお、６２％を超えると紙管原紙への浸透が困難となる。
【００５６】
他方、本実施形態に係る水性溶媒としては、代表的には水であり、イオン交換水などの水が利用できる。その他、低級アルコール、ポリフェノール系消臭剤に反応性を示さず、相互に溶けあうものであれば利用できる。
【００５７】
ここで、本実施形態においては、紙管原紙３２は、消臭剤薬液塗工前において紙厚が１００〜４００μｍ、米坪が１３０〜２００ｇ／ｍ2のものを用いる。係る紙管原紙３２であると前記消臭剤薬液４１を塗工した際にムラ無く塗工でき、また、上記消臭剤薬液４１が十分に浸透するとともに低級アルコールの揮発性も十分となる。さらに、トイレットロール１０となった際に十分な強度の紙管１１とすることができるとともに、ポリフェノールによる消臭効果を十分に発揮できる。紙管原紙３２については、特に、ベック平滑度１０〜８０秒のものとすると消臭剤薬液４１の浸透性及び低級アルコールの揮発がより迅速かつ確実なものとなり、また、消臭剤薬液４１の塗工性が向上する。また、紙管原紙のステキヒトサイズ度は、一般的に１５０〜２５０秒であるが、本実施形態の紙管原紙３２においてもこの範囲であるのが望ましい。係るステキヒトサイズ度の範囲であれば紙管原紙３２への消臭剤薬液４１の含浸性を十分に確保できる。なお、長尺紙管３０の形成するにあたって、この他方の紙管原紙３２と対となるもう一方の紙管原紙３１は、違う原反を使用してもよく、例えば、米坪を変えたりしてもよい。
【００５８】
他方、本発明に係るトイレットロール１０の製造方法では、紙管原紙３２に対する消臭剤薬液４１の塗工は、フレキソ印刷機、グラビア印刷機により行なう。フレキソ印刷機及びグラビア印刷機は、公知のものを用いることができる。フレキソ印刷機及びグラビア印刷機は、バーコーター等と比較して９０ｍ／分以上で高速に消臭剤薬液を付与でき、生産性を高めることができる。また、本実施形態に係る消臭剤薬液をムラ無く塗工することができる。フレキソ印刷機又はグラビア印刷機による消臭剤薬液４１の付与態様としては、ベタ印刷のほか網点状、円状、ブロック状など適宜のパターン印刷、図形などの模様印刷や文字の印刷として付与することができる。
【００５９】
消臭剤薬液４１の付与量としては、付与量が６〜２４ｇ／ｍ2とする。この範囲であれば、生産性よく消臭剤薬液４１を紙管原紙に塗工することができ、また、十分な消臭効果を奏する量のポリフェノール等を紙管原紙３２に付与することができる。なお、６ｇ／ｍ2未満では紙管原紙３２に消臭剤薬液４１をムラ無く塗工することが難しく、また十分に浸透させることも困難となる。２４ｇ／ｍ2を超えても消臭効果の向上もさほどなくコスト高となるだけである。なお、本発明に係るトイレットロール１０の製造方法によれば、消臭剤薬液４１を塗工した後、低級アルコール等の揮発によって、紙管の坪量（紙管原紙などの貼り合せのための接着糊を除いた紙管原紙相当部分の坪量）が、０．００２〜６．０ｇ／ｍ2程度増加し、厚みはほとんど変わらない。
【００６０】
〔ログ製造工程（Ｂ）〕
他方、本実施形態では、上記の長尺紙管３０の製造と平行して又はその後において、ログ製造工程（図３中（Ｂ））にて、ログ７０を製造する。なお、ログ７０とは、業界においての一般用語であり、最終製品であるトイレットロール１０の径と同径でありかつ幅が最終製品の複数個分ある中間製品である。
【００６１】
このログ７０の製造は、連続的に又は段階的に、長尺紙管３０と実質的に同幅のトイレットペーパー原紙７１，７１を、ロール７１Ａ，７１Ａから繰り出すとともに巻き付けてログ７０を形成する。この巻き付けは、既知のワインダー装置Ｘ２が利用できる。
【００６２】
図示の形態では、二つのロール７１Ａ，７１Ａから単層のトイレットペーパー原紙７１，７１を繰り出して、重ね合わせ部８１にて２プライのトイレットペーパー原紙７２とした後、ミシン目線形成装置８２にてミシン目線の形成を行なった後、巻き取り装置８３にて巻き取り２プライ構造となるようにしている。但し、本発明に係るトイレットペーパー原紙は、２プライに限定されず、１プライ若しくは３プライ以上であってもよい。また、複数プライ構造とする場合には、各原紙の米坪や物性等は同じである必要もない。さらに、ワインダー装置Ｘ２でプライ構造にするのではなく、予め積層されたトイレットペーパー原紙を巻き取ったロールからトイレットペーパー原紙を繰出して長尺紙管３０に巻き付けてログ７０を形成すようにしてもよい。
【００６３】
また、図示の形態では、ミシン目線形成装置８２を設けてミシン目線を付与する形態を示しているが、本発明では必ずしもミシン目線形成装置及びミシン目線の付与は必須ではない。さらに、本実施形態において、図示はしないが、ミシン目線付与装置８２の前段に既知のコンタクトエンボス付与装置を設けてコンタクトエンボスを付与してもよいし、重ね合わせ部８１の前段で各トイレットペーパー７１，７１にエンボスロールでエンボスを付与するようにしてもよいし、その付与したエンボスの凸部頭頂に接着剤を付与して係る接着剤でシート同士を積層一体化するようにしてもよい。
【００６４】
〔裁断工程（Ｃ）〕
以上のように、ログ７０を製造したならば、このログ７０を既知のログアキュームレーターＸ３で複数本をストックしつつ後段のログカッター設備Ｘ４へと移動させる。そして、その後に図３中（Ｃ）に示すように、既知のログカッター９１でログ７０を製品幅に裁断し、個々のトイレットロール１０，１０…とする。
【００６５】
「トイレットロールの製造方法の他の実施形態」
上記説明の実施形態は、ログ７０を仲介してトイレットロール１０を形成する方法を説明したが、本発明は必ずしもログ７０を形成しないでトイレットロール１０を形成することもできる。
【００６６】
例えば、上述の長尺の紙管３０を形成する工程Ａにおいて、筒状部分２９をトイレットロール１０と同幅かやや幅広でカッター５８によりカットして紙管を形成した後、これと同幅のトイレットペーパー原紙７２を巻き付けることで、ログ７０を介さずに直接的にトイレットロール１０とすることができる。トイレットロール１０よりやや幅広の紙管にトイレットロール１０よりやや幅広のトイレットペーパー原紙７２を巻き付けて、その両端面部分をカットすることで端面を整えることができる。消臭剤薬液４１やその付与形態については、上記ログ７０を仲介する方法と同様に行なうことができる。
【００６７】
（試験例）
本発明の効果を確認すべく、試験例１および比較例１〜４を用いてトイレ空間内における主たる悪臭成分の一つであるアンモニアに対する消臭効果と消臭剤薬液の塗工性について確認した。用いた紙管原紙の組成、消臭剤薬液の配合割合、操業条件等は下記表１に結果とともに示すとおりである。なお、消臭剤は、ポリフェノールとしてタンニンを含む、リリース科学工業株式会社製のPancil FG-25を用いた。低級アルコールはイソプロピルアルコールを用いた。形成した紙管の大きさ等は、長さ１１４ｍｍ、内径３８ｍｍφとした。
【００６８】
消臭効果の確認は、１０Ｌの気密性容器（テドラーバッグ  １０Ｌ：ジーエルサイエンス株式会社製）内に各例に係る紙管を１本収めたのち、容器内にアンモニア（和光純薬株式会社製、１級）を直ちに１００ｐｐｍの濃度となるように充填し、その１時間後にアンモニアガスの濃度を測定して、その測定値からのアンモニア濃度の減少率を算出することにより行った。なお、アンモニア濃度の１００ｐｐｍへの調整及び１時間後のアンモニア濃度の測定に関しては、ガス検知管（株式会社ガステック製  ３Ｌ）を用いた。なお、表１中のＮＤとは不検出を意味する。
【００６９】
操業性の評価は、操業速度９０ｍ／ｍｉｎ以上で薬液を含浸し紙管を形成できるものを○、７０〜９０ｍ／ｍｉｎで操業できるものを△、７０〜９０ｍ／ｍｉｎで操業できるが塗工ムラが確認できるものを×、加工時に消臭剤の含浸できないなどの不具合があるものを−として評価した。
【００７０】
【表１】
0005840659.tif 000002
【００７１】
表１をみてみると、各試験例とともにアンモニアの消臭効果が確認できる。しかし、操業性についてみてみると、試験例１では、グラビア印刷機により操業速度９０ｍ／ｍｉｎ以上と高速に操業でき、しかも消臭剤による効果も十分であったが、比較例１では、低級アルコールの量が十分ではなくグラビア印刷機を用いて塗工すると塗工ムラが発生することが確認できた。グラビア印刷機では、低級アルコール量が少ない場合には、グラビア印刷の高速性が生かせずまたムラが発生することが知見された。
【００７２】
比較例２は、低級アルコールの量を増加させるとともにポリフェノール系消臭剤の配合割合を低下させてバーコーターを用いて塗工量を増加させるようにしたが、やはり塗工ムラが発生することが確認された。バーコーターを用いるため操業速度も速めることが難しいことが確認できた。
【００７３】
比較例３は、低級アルコール及びポリフェノール系消臭剤の配合割合を低下させて、塗布量を多くしたものであるが、この配合割合ではバーコーターを用いてムラ無く塗工できるものの、操業速度を早めることが困難であった。
【００７４】
試験例４は、低級アルコールを含有させない消臭剤薬液を用いたが、低速なバーコーターを用いても塗布をすることができなかった。
【００７５】
以上のことより、本発明の製造方法により、消臭効果の高いトイレットロールを生産効率よく製造できることが確認できた。また、本発明に係るトイレットロールは、高い消臭効果を奏するものであることが確認できた。
【符号の説明】
【００７６】
１０…トイレットロール、１１…紙管、１１Ａ…紙管内面、Ｓ３…トイレットペーパー、（Ａ）…長尺の紙管を製造する工程、（Ｂ）…ログ製造工程。（Ｃ）…裁断工程、  ３１Ａ，３２Ａ…原反ロール、３１，３２…紙管原紙、５１…糊付けロール、５２…マンドレルシャフト、２９…筒状部分、５８…カッター、３０…長尺の紙管、５３…プーリー、５４…平ベルト、６１…塗工機、４１…消臭剤薬液、７０…ログ、７１…トイレットペーパー原紙、７１Ａ…ロール、７２…２プライのトイレットペーパー原紙、８１…重ね合わせ部、８２…ミシン目線形成装置、８３…巻き取り手段、９１…ログカッター、Ｌ１…トイレットロールの幅、Ｌ２…トイレットロールの直径。
【図１】
0005840659.tif 000003
【図２】
0005840659.tif 000004
【図３】
0005840659.tif 000005
【図４】
0005840659.tif 000006
【図５】
0005840659.tif 000007